(57)【要約】【課題】  空気から臭気成分を除去するための無光触媒ユニットを容易に装脱できる空気脱臭装置並びに空気清浄機能付仕切パネルを提供する。【解決手段】  空気脱臭装置１は、送風ダクト中を圧送風または吸引送風される空気から臭気成分を無光触媒によって除去するものである。互いに嵌合接続される一方または他方の送風ダクト２，３の嵌合接続部７に、無光触媒ユニット９の装填部１０を形成してある。装填部１０には、送風ダクト３の開口端部６から無光触媒ユニット９を装脱する。送風ダクト２，３は熱可塑性樹脂をブロー成形して構成する。また空気脱臭機能付パネルをなすベッドのヘッドパネル１６は、中空二重壁パネルの中空部１８を無光触媒ユニット９および送風ユニット２１により区分してその一方の中空部２３に室内の空気を吸入し、無光触媒ユニット９を通して他方の中空部２４から外気中に排出する過程で空気中の臭気を除去する構成である。【選択図】        図４
2006305131.tif 000002
【特許請求の範囲】
【請求項１】
送風ダクト中を圧送風または吸引送風される空気から臭気成分を無光触媒によって除去する空気脱臭装置であって、互いに嵌合接続される一方または他方の送風ダクトの嵌合接続部に無光触媒ユニットの装填部を形成してあり、その装填部に送風ダクトの開口端から無光触媒ユニットを装脱するように構成されていることを特徴とする空気脱臭装置。
【請求項２】
一方の送風ダクトに嵌合接続する他方の送風ダクトは分岐ダクトであって、無光触媒ユニットの装填部は分岐ダクトをなす他方の嵌合接続部に形成して、その装填部に分岐ダクトをなす他方の送風ダクトの開口端から無光触媒ユニットを装脱するように構成されていることを特徴とする請求項１記載の空気脱臭装置。
【請求項３】
無光触媒ユニットの装填部を設けた送風ダクトには、その装填部に対応する部分に開閉蓋を備えた開口部を形成して、無光触媒ユニットを前記開口部からも装脱可能に構成されていることを特徴とする請求項１または２記載の空気脱臭装置。
【請求項４】
開口部の開閉蓋はヒンジ構造により開閉自在であることを特徴とする請求項３記載の空気脱臭装置。
【請求項５】
中空二重壁パネルの中空部に無光触媒ユニット及び送風ユニットを組み込み、その一方から室内の空気を吸入し、無光触媒ユニットを通して清浄化後他方から室内に排出する過程で空気中の臭気を除去する空気脱臭機能付パネルであって、中空二重壁パネルの少なくとも一面に無光触媒ユニットおよび送風ユニットの装填窓を設け、この装填窓から無光触媒ユニットおよび送風ユニットを装脱するように構成されていることを特徴とする空気脱臭機能付パネル。
【請求項６】
無光触媒ユニットおよび送風ユニットを一体化して空気脱臭ユニットを構成し、この空気脱臭ユニットを装填窓から装脱するように構成したことを特徴とする請求項５記載の空気脱臭機能付パネル。
【請求項７】
中空二重壁パネルはベッドのヘッドパネルであって、一方の中空部および他方の中空部の外気に通じる開口部をヘッドパネルの前面に設けてあることを特徴とする請求項５または６記載の空気脱臭機能付パネル。
【発明の詳細な説明】
【技術分野】
【０００１】
本発明は、冷房、暖房、換気などの空調用その他の送風設備において、送風ダクト中を圧送風または吸引送風される空気から臭気成分を無光触媒によって除去する空気脱臭装置、及び室内を仕切るパーティションなどの各種仕切パネル、ベッドのヘッドパネルなどの中空二重壁パネルに、無光触媒ユニットおよび送風ユニットを備えた空気脱臭ユニットを組み込み、一方から室内空気を吸い込み他方から排出する過程で空気中の臭気を除去する空気脱臭機能付パネルに関するものである。
【背景技術】
【０００２】
冷房、暖房、換気などの空調用その他の送風設備において、送風ダクト中を圧送風または吸引送風される空気から臭気成分を光触媒によって除去する空気脱臭装置としては、特開２００１−９６１１４公報、特開平１１−１５７３３２号公報、特開平１１−２１１２０９号公報、または特開２００５−２４１２７公報に記載されているものなどが知られている。またオフィスの空間を仕切るパーティション等の中空二重壁パネルであってその中空部を利用して空気清浄機能をもたせた空気清浄機能付仕切パネルは、特開平１１−１５９０３４号公報、特開２００５−２１７５６公報に記載されている。
【０００３】
しかしながら、前述の空気脱臭装置並びに空気清浄機能付仕切パネルではいずれも空気から臭気成分を除去するために光触媒ユニットを用いており、光触媒ユニットは触媒活性化のためのLED等の光源を内蔵させている。このため光触媒ユニットの構造が複雑となり、またメンテナンスのための点検や交換作業に非常な手間が掛かるという問題があった。
【特許文献１】特開２００１−９６１１４公報
【特許文献２】特開平１１−１５７３３２号公報
【特許文献３】特開平１１−２１１２０９号公報
【特許文献４】特開２００５−２４１２７公報
【特許文献５】特開平１１−１５９０３４号公報
【特許文献６】特開２００５−２１７５６公報
【発明の開示】
【発明が解決しようとする課題】
【０００４】
そこで、本発明の目的は、空気脱臭装置並びに空気清浄機能付仕切パネルにおいて、空気から臭気成分を除去するために光触媒の代わりに光線がなくても活性を発揮できるような無光触媒を使用することにより、装置を簡略化し、無光触媒ユニットの装脱を容易、迅速かつ的確にでき、かつメンテナンスの容易な空気脱臭装置並びに空気清浄機能付仕切パネルを提供するものである。
【課題を解決するための手段】
【０００５】
本発明の請求項１に係る空気脱臭装置は、送風ダクト中を圧送風または吸引送風される空気から臭気成分を無光触媒によって除去する空気脱臭装置であって、互いに嵌合接続される一方または他方の送風ダクトの嵌合接続部に無光触媒ユニットの装填部を形成してあり、その装填部に送風ダクトの開口端から無光触媒ユニットを装脱するように構成されていることを特徴とするものである。
【０００６】
本発明の請求項２に係る空気脱臭装置は、請求項１記載の構成において、一方の送風ダクトに嵌合接続する他方の送風ダクトは分岐ダクトであって、無光触媒ユニットの装填部は分岐ダクトをなす他方の送風ダクトの嵌合接続部に形成して、その装填部に分岐ダクトをなす他方の送風ダクトの開口端から無光触媒ユニットを装脱するように構成されていることを特徴とするものである。
【０００７】
本発明の請求項３に係る空気脱臭装置は、請求項１または２記載の構成において、無光触媒ユニットの装填部を設けた送風ダクトには、その装填部に対応する部分に開閉蓋を備えた開口部を形成して、無光触媒ユニットを前記開口部からも装脱可能に構成されていることを特徴とするものである。
【０００８】
本発明の請求項４に係る空気脱臭装置は、請求項３記載の構成において、開口部の開閉蓋はヒンジ構造により開閉自在であることを特徴とするものである。
【０００９】
本発明の請求項５に係る空気脱臭機能付パネルは、中空二重壁パネルの中空部を無光触媒ユニットおよび送風ユニットにより区分してその一方の中空部に室内の空気を吸入し、無光触媒ユニットを通して清浄化したあと他方の中空部から室内に排出する過程で空気中の臭気を除去する空気脱臭機能付パネルであって、中空二重壁パネルの少なくとも一面に無光触媒ユニットおよび送風ユニットの装填窓を設け、この装填窓から無光触媒ユニットおよび送風ユニットを装脱するように構成されていることを特徴とするものである。
【００１０】
本発明の請求項６に係る空気脱臭機能付パネルは、請求項５記載の構成において、無光触媒ユニットおよび送風ユニットを一体化して空気脱臭ユニットを構成し、この空気脱臭ユニットを装填窓から装脱するように構成したことを特徴とするものである。
【００１１】
本発明の請求項７に係る空気脱臭機能付パネルは、請求項５または６記載の構成において、中空二重壁パネルはベッドのヘッドパネルであって、一方の中空部および他方の中空部の外気に通じる開口部をヘッドパネルの前面に設けてあることを特徴とするものである。
【００１２】
本発明の無光触媒ユニットは、リン酸チタニウム系化合物などの酸化還元分解活性能を有する無光触媒を使用するもので、このリン酸チタニウム系化合物などの溶液を多孔質或いは網目状からなる触媒担持体に塗布、噴霧或いは浸漬して付着、乾燥し、ユニット内に装填してある。リン酸チタニウム系化合物は、四塩化チタンを水と炭素数１〜４のアルコールの混合溶液と反応させたのち、さらにリン酸と反応させて得られる化合物を用いることが好ましい。
【発明の効果】
【００１３】
本発明によれば、空気脱臭装置並びに空気清浄機能付中空二重壁パネルにおいて、無光触媒ユニットおよび送風ユニットの装填窓を設け、この装填窓から無光触媒ユニットおよび送風ユニットを装脱するように構成し、更に空気から臭気成分を除去するために光触媒の代わりに光線がなくても活性を発揮できるような無光触媒を使用することにより、装置を簡略化し、無光触媒ユニットの装脱を容易、迅速かつ的確にでき、かつメンテナンスの容易な空気脱臭装置並びに空気清浄機能付仕切パネルを提供することができる。
【発明を実施するための最良の形態】
【００１４】
図１は本発明の一実施の形態に係る空気脱臭装置を示す斜視図、図２はその一部の断面図、図３は同上送風ダクトの端面図、図４は本発明の他の実施の形態に係る空気脱臭装置を示す斜視図である。
【００１５】
図１ないし図３において、空気脱臭装置１は、一方の送風ダクト２と他方の送風ダクト３からなり、他方の送風ダクト３は分岐ダクトをなしており、４はその３つの分岐送風口である。一方の送風ダクト２は送風ユニット（図示せず）に接続されるものである。
【００１６】
一方の送風ダクト２および他方の送風ダクト３は、熱可塑性樹脂をブロー成形してなるものであって、一方の送風ダクト２と他方の送風ダクト３は、図２に示すように嵌合接続される構造をなしている。すなわち、一方の送付ダクト２の開口部５には他方の送風ダクト３の開口端部６が被さるようになっていて、一方の送風ダクト２の開口部５に他方の送風ダクト３の開口部６を被せて互いを嵌合接続する構成となっている。そして、その嵌合接続部７の嵌合状態を密に保持するため、一方の送風ダクト２の開口部５にはパッキング８が装着されている。
【００１７】
前記他方の送風ダクト３の嵌合接続部７には、その開口部６より内側に無光触媒ユニット９が開口端部６から装脱自在に装着されており、１０はその装填部である。装填部１０はその内方と外方にそれぞれ無光触媒ユニット９の係止部１１，１２が形成されており、外方の係止部１２は無光触媒ユニット８を開口端部６から装填し、また開口端部６から取り外しできるようにするための弾性を有する突起である。
【００１８】
以上のように構成された空気脱臭装置１においては、一方の送風ダクト２とそれと嵌合接続されている他方の送風ダクト３からなり、他方の送風ダクト３の嵌合接続部７の装填部１０に無光触媒ユニット９が開口端部６から装脱自在となっているものであるから、無光触媒ユニット９の装填や交換にあたっては、一方の送風ダクト２と他方の送風ダクト３の嵌合接続を外すのみで、他方の送風ダクト３にその開口端部６から無光触媒ユニット９の装脱を容易、迅速かつ的確に行うことができる。
【００１９】
図４に示す他の実施の形態においては、一方の送風ダクト（図示せず）に対して嵌合接続される他方の送風ダクト３の嵌合接続部７に、無光触媒ユニット９の装填部１０に対応して、開閉蓋１３を備えた開口部１４を設けてあり、無光触媒ユニット９はこの開口部１４を開いて装脱するができるようになっている。前記開閉蓋１３は送風ダクト３に対してヒンジ１５により開閉自在となっている。このヒンジ１５はブロー成形時にパリソンを圧縮薄肉化した一体の薄肉ヒンジである。
【００２０】
この実施の形態のものにおいては、開口部１４の開閉蓋１３を開くことにより、無光触媒ユニット９の装脱作業をいっそう簡便に行うことができる。また、開閉蓋１３を開いて装填されている無光触媒ユニット９の状態を点検することができていっそう便利である。なお、この実施の形態のものにあっても、一方の送風ダクトと他方の送風ダクト３の嵌合接続を外して無光触媒ユニット９を開口端部６から装脱することができることは勿論である。
【００２１】
図５は空気脱臭機能付パネルの本発明の一実施の形態に係るもので、ベッドのヘッドパネルの縦断側面図、図６は同上前側から見た斜視図、図７は同上内方から見た斜視図である。
【００２２】
図示のベッドにおいて、１６はヘッドパネルである。このヘッドパネル１６は、熱可塑性樹脂をブロー成形してなる中空二重壁パネルであって、１７はその前面、１８は中空部、１９，２０は補強リブである。中空二重壁パネルからなるヘッドパネル１６は、その中空部１８が無光触媒ユニット９および送風ユニット２１を一体化してなる空気脱臭ユニット２２により一方の中空部２３と他方の中空部２４に区分されている。そして、ヘッドパネル１６の一面、すなわち前面１７にはその一方の中空部１８を室内に通じさせた吸気口２５が、かつ他方の中空部２４を室内に通じさせた排気口２６がそれぞれ開口されている。また、ヘッドパネル１６の他の面、すなわち内方面には、空気脱臭ユニット２２を中空部１８内に装脱するための装填窓２７が形成されており、中空部１８のこの装填窓２７に対応する部分は空気脱臭ユニット２２を固定保持する装填部をなしている。
【００２３】
無光触媒ユニット９は、無光触媒担持体２８を備えており、また送風ユニット２１は、送風ファン２９およびフィルタ３０を備えている。図中、３１はベッドボトム、３２はスプリングマットレスである。３３は太陽電池であって、ヘッドパネル１６の前面１７に設けてある。この太陽電池３３は送風ファン２９の電源となるものである。
【００２４】
図示の構成のものにおいて、送風ユニット２１を駆動すると、一方の中空部２３の吸気口２５から室内の空気が吸入され、その吸入された空気は無光触媒ユニット９を通って他方の中空部２４に吹き抜け、室内に通じている排気口２６から排出される。そして、この空気の流通作用により無光触媒ユニット９を通る過程で空気中の臭気成分が除去され、排気口２６からは脱臭された空気が排出される。
【００２５】
ところで、図示の構成によれば、吸気口２５および排気口２６がヘッドパネル１６の前面に設けてあってベッドの内方側には空気流を生じないので、ベッドを使っている人に不快感を与えず、周辺の空気の脱臭を効果的に行うことができる。また、無光触媒ユニット９および送風ユニット２１を一体化した空気脱臭ユニット２２は、ベッドの内方側の面から装脱するので、ベッド上に空気脱臭ユニット２２を載せた状態で容易にその作業ができる。
【図面の簡単な説明】
【００２６】
【図１】本発明の一実施の形態に係る空気脱臭装置を示す斜視図である。
【図２】図１における、その一部の断面図である。
【図３】図１における、送風ダクトの端面図である。
【図４】本発明の他の実施の形態に係る空気脱臭装置を示す斜視図である。
【図５】空気脱臭機能付パネルとしてベッドのヘッドパネルを例示した縦断側面図である。
【図６】図５における、前側から見た斜視図である。
【図７】図５における、内方から見た斜視図である。
【符号の説明】
【００２７】
１  空気脱臭装置
２  一方の送風ダクト
３  他方の送風ダクト
４  分岐送風口
５  開口部
６  開口端部
７  嵌合接続部
８  パッキング
９  無光触媒ユニット
１０  装填部
１１，１２  係止部
１３  開閉蓋
１４  開口部
１５  ヒンジ
１６  ヘッドパネル
１７  前面
１８  中空部
１９，２０  補強リブ
２１  送風ユニット
２２  空気脱臭ユニット
２３  一方の中空部
２４  他方の中空部
２５  吸気口
２６  排気口
２７  装填窓
２８  無光触媒担持体
２９  送風ファン
３０  フィルタ
３１  ベッドボトム
３２  スプリングマットレス
３３  太陽電池
【図１】
2006305131.tif 000003
【図２】
2006305131.tif 000004
【図３】
2006305131.tif 000005
【図４】
2006305131.tif 000006
【図５】
2006305131.tif 000007
【図６】
2006305131.tif 000008
【図７】
2006305131.tif 000009